(57)【要約】【課題】メンテナンス性を向上させることが可能な表示装置および電子機器を提供する。【解決手段】本開示の一実施形態の表示装置は、表示体および第１の接続部を有する第１基板と、表示体の駆動を制御する配線と共に、第１の接続部と接続される第２の接続部を有する第２基板とを備える。【選択図】図１
2017203803.tif 000002
【特許請求の範囲】
【請求項１】
表示体および第１の接続部を有する第１基板と、
前記表示体の駆動を制御する配線と共に、前記第１の接続部と接続される第２の接続部を有する第２基板と
を備えた表示装置。
【請求項２】
前記第１基板と前記第２基板とは、前記第１の接続部および前記第２の接続部を介して電気的且つ機械的に接続されている、請求項１に記載の表示装置。
【請求項３】
前記第１の接続部および前記第２の接続部の少なくとも一方は周辺に保護部を有する、請求項１に記載の表示装置。
【請求項４】
前記第１の接続部および前記第２の接続部は、一方に凹部を有し、他方に凸部を有する、請求項１に記載の表示装置。
【請求項５】
前記凹部は、内部に緩衝部材を有する、請求項４に記載の表示装置。
【請求項６】
前記緩衝部材は、前記凹部が設けられている前記第１の接続部または前記第２の接続部とは異なる材料により形成されている、請求項５に記載の表示装置。
【請求項７】
前記第１の接続部および前記第２の接続部の少なくとも一方は、導電性を有するゴムにより形成されている、請求項１に記載の表示装置。
【請求項８】
前記第１の接続部および前記第２の接続部は、互いに磁力を有する材料により形成されている、請求項１に記載の表示装置。
【請求項９】
前記保護部は、樹脂材料により形成されている、請求項３に記載の表示装置。
【請求項１０】
前記表示体は、表示層を間に対向配置された第１電極および第２電極を有し、
前記第１基板には、前記第１電極および前記第２電極とそれぞれ電気的に接続されている２つの第１の接続部が設けられ、
前記第２基板には、前記２つの第１の接続部に対応する２つの第２の接続部が設けられている、請求項１に記載の表示装置。
【請求項１１】
表示装置を備え、
前記表示装置は、
表示体および第１の接続部を有する第１基板と、
前記表示体の駆動を制御する配線と共に、前記第１の接続部と接続される第２の接続部を有する第２基板と
を備えた電子機器。
【発明の詳細な説明】
【技術分野】
【０００１】
本開示は、例えば、インテリアや服飾品に対して着脱可能な表示装置および電子機器に関する。
【背景技術】
【０００２】
一般的に、セグメント方式の表示装置では、例えば特許文献１に記載の表示機器のように、表示体と配線基板とが一体化されている。
【先行技術文献】
【特許文献】
【０００３】
【特許文献１】特開２００７−２０６４７４号公報
【発明の概要】
【発明が解決しようとする課題】
【０００４】
ところで、近年、腕に装着したり、衣類に設置するウェアラブル端末の開発が進められている。ウェアラブル端末では、表示体はフレキシブルな基板上に設けられることが多く、使用時の基板の変形によって破損しやすい。破損した表示体は修理および交換が必要になるが、一般的な表示装置は、上記のように表示体と配線基板とが一体化されているため、破損していない表示体を含むディスプレイ全体の交換が必要となる。このため、破損部分のみを交換可能なメンテナンス性の高い表示装置が求められている。
【０００５】
メンテナンス性を向上させることが可能な表示装置および電子機器を提供することが望ましい。
【課題を解決するための手段】
【０００６】
本開示の一実施形態の表示装置は、表示体および第１の接続部を有する第１基板と、表示体の駆動を制御する配線と共に、第１の接続部と接続される第２の接続部を有する第２基板とを備えたものである。
【０００７】
本開示の一実施形態の電子機器は、上記本開示の一実施形態の表示装置を備えたものである。
【０００８】
本開示の一実施形態の表示装置および一実施形態の電子機器では、それぞれ、表示体を有する第１基板に第１の接続部を、表示体の駆動を制御する配線が設けられている第２基板に第１の接続部と接続される第２の接続部を設けるようにした。これにより、第１の基板と第２の基板との着脱が可能となる。
【発明の効果】
【０００９】
本開示一実施形態の表示装置および一実施形態の電子機器によれば、互いに接続される第１の接続部および第２の接続部を、それぞれ、第１基板および第２基板に設けるようにしたので、第１基板と第２基板との着脱が可能となり、メンテナンス性を向上させることが可能となる。
【００１０】
なお、ここに記載された効果は必ずしも限定されるものではなく、本開示中に記載されたいずれの効果であってもよい。
【図面の簡単な説明】
【００１１】
【図１】本開示の第１の実施の形態に係る表示装置の構成の一例を表す断面図である。
【図２】図１に示した電気泳動素子の平面模式図である。
【図３】本開示の第１の実施の形態に係る表示装置の構成の他の例を表す断面図である。
【図４Ａ】図１に示した表示装置の動作を説明するための断面図である。
【図４Ｂ】図１に示した表示装置の動作を説明するための断面図である。
【図５】本開示の第２の実施の形態に係る表示装置の構成を表す断面図である。
【図６】本開示の変形例１に係る表示装置の構成を表す断面図である。
【図７】本開示の変形例２に係る表示装置の構成を表す断面図である。
【図８】本開示の第３の実施の形態に係る表示装置の構成を表す断面図である。
【図９】本開示の電子機器の概略構成を表すブロック図である。
【図１０Ａ】適用例１の外観の一例を表す斜視図である。
【図１０Ｂ】適用例１の外観の他の例を表す斜視図である。
【図１１Ａ】適用例２の外観の一例を表す図である。
【図１１Ｂ】適用例２の外観の他の例を表す図である。
【図１２】適用例３の外観を表す斜視図である。
【発明を実施するための形態】
【００１２】
以下、本開示の一実施形態について、図面を参照して詳細に説明する。なお、説明は以下の順序で行う。
１．第１の実施の形態（対向する基板にそれぞれ凹部または凸部を有する一対の接続部を設けた例）
１−１．表示装置の構成
１−２．表示装置の動作
１−３．作用・効果
２．第２の実施の形態（凹部内に緩衝部材を設けた例）
３．変形例
３−１．変形例１（一対の接続部を導電性ゴムで形成した例）
３−２．変形例２（一対の接続部を磁石で形成した例）
４．第３の実施の形態（一方の基板に伸縮性を有する基体を用いた例）
５．適用例
【００１３】
＜１．第１の実施の形態＞
図１は、本開示の第１の実施の形態に係る表示装置（表示装置１）の断面構成を表したものである。表示装置１は、例えば、１ｃｍ〜数ｃｍ四方の表示デバイスであり、１個または複数個を組み合わせて、例えば、後述する腕時計や鞄等の服飾品や壁面の装飾に用いられるものである。表示装置１は、表示体として、例えば、電気泳動現象を利用してコントラストを生じさせる電気泳動素子（電気泳動素子３０）を用いた電気泳動型ディスプレイである。図２は、電気泳動素子３０の平面構成を模式的に表したものである。表示装置１は、電気泳動素子３０を備えた表示体デバイス１０と、電気泳動素子３０の駆動を制御する配線４２が設けられている配線基板４０とが分離形成された構成を有する。本実施の形態では、表示体デバイス１０（第１基板）および配線基板４０（第２基板）の互いに対向する面それぞれに、一対の接続部（例えば、接続部１５（第１の接続部）と接続部４４（第２の接続部））が設けられている。表示装置１は、この一対の接続部によって、表示体デバイス１０が、配線基板４０から着脱可能となっている。なお、図１は、表示装置１の構成を模式的に表したものであり、実際の寸法、形状とは異なる場合がある。
【００１４】
（１−１．表示装置の構成）
表示装置１は、一対の接続部（接続部１５と接続部４４および接続部２５と接続部４６）によって接続される表示体デバイス１０と、配線基板４０とから構成されたものである。表示体デバイス１０は、下部電極１２を有する支持基板１１と、上部電極２２を有する対向基板２１とが電気泳動素子３０を介して対向配置されたものであり、対向基板２１側に表示面を有している。この「対向基板２１側に表示面を有する」とは、対向基板２１側に向かって画像を表示する（ユーザが対向基板２１側から画像を視認可能である）という意味である。表示体デバイス１０には、一対のうちの一方の接続部として、下部電極１２と電気的に接続されている接続部１５と、上部電極２２と電気的に接続されている接続部２５とが設けられている。配線基板４０には、一対のうちの他方の接続部として、接続部４４と接続部４６とが設けられている。
【００１５】
支持基板１１は、例えば、無機材料、金属材料またはプラスチック材料等により構成されている。無機材料としては、例えば、ケイ素（Ｓｉ）、酸化ケイ素（ＳｉＯX）、窒化ケイ素（ＳｉＮX）または酸化アルミニウム（ＡｌＯX）等が挙げられる。酸化ケイ素には、ガラスまたはスピンオングラス（ＳＯＧ）等が含まれる。金属材料としては、例えば、アルミニウム（Ａｌ）、ニッケル（Ｎｉ）またはステンレス等が挙げられ、プラスチック材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）等が挙げられる。
【００１６】
支持基板１１は、光透過性でもよいし、非光透過性でもよい。対向基板２１側に画像が表示されるため、支持基板１１は必ずしも光透過性である必要がないからである。支持基板１１は、ウェハ等の剛性を有する基板でもよいし、可撓性を有する薄層ガラスまたはフィルム等により構成してもよい。支持基板１１の一面（対向基板２１との対向面）には、例えば１つの下部電極１２が設けられており、本実施の形態の表示装置１が、例えば１つの画素Ｐを構成している。支持基板１１の他の面（対向基板２１との対向面とは反対側の面）には、詳細は後述するが、接続部１５が設けられている。
【００１７】
下部電極１２は、例えば、金（Ａｕ）、銀（Ａｇ）または銅（Ｃｕ）等の金属材料により形成されている。下部電極１２は、例えば、図３に示した表示装置２のように下部電極１２Ａおよび下部電極１２Ｂに分割形成されていてもよく、マトリクス状またはセグメント状に分割形成されていてもよい。
【００１８】
対向基板２１は、光透過性であることを除き、支持基板１１と同様の材料により構成されている。対向基板２１の全面（支持基板１１との対向面）には、上部電極２２が設けられている。また、上部電極２２上には、詳細は後述するが、配線基板４０に向かって延伸する接続部２５が設けられている。
【００１９】
上部電極２２は、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等の光透光性導電性材料（透明電極材料）により形成されている。対向基板２１側に画像を表示する場合には、上部電極２２を介して表示装置（電気泳動素子３０）を見ることになるため、上部電極２２の光透過性（透過率）は、できるだけ高いことが好ましく、例えば、８０％以上である。また、上部電極２２の電気抵抗は、できるだけ低いことが好ましく、例えば、１００Ω／□以下である。なお、上部電極２２は、下部電極１２と同様に、マトリクス状またはセグメント状に配置するようにしてもよい。
【００２０】
なお、支持基板１１および対向基板２１には、電気泳動素子３０との間に接着層やシール層を設けるようにしてもよい。また、例えば、対向基板２１の表示面側に、例えば、水分等の浸入を防ぐ防湿フィルムを設けるようにしてもよい（いずれも図示せず）。
【００２１】
電気泳動素子３０は、図１および図２に示したように、絶縁性液体３１中に、泳動粒子３２および多孔質層３３を備えている。泳動粒子３２は、絶縁性液体３１中に分散されており、多孔質層３３は、繊維状構造体３３１および非泳動粒子３３２を含んで構成され、複数の細孔３３３を有している。
【００２２】
絶縁性液体３１は、例えば、支持基板１１と対向基板２１との間の空間に充填されている。絶縁性液体３１は、例えば、有機溶媒等の非水溶媒のいずれか１種類または２種類以上によって構成されており、具体的には、パラフィンまたはイソパラフィン等の炭化水素系溶媒が挙げられる。絶縁性液体３１には、必要に応じて他の各種材料が添加されていてもよい。例えば、着色剤、電荷調整剤、分散安定剤、粘度調整剤、界面活性剤または樹脂等を添加するようにしてもよい。
【００２３】
泳動粒子３２は、電気的に泳動する１または２以上の荷電粒子（電気泳動粒子）であり、電界に応じて絶縁性液体３１中を下部電極１２または上部電極２２に向かって移動することで表示面に画像を表示するものである。この泳動粒子３２は、任意の光学的反射特性（光反射率）を有し、例えば、有機顔料、無機顔料、顔料、炭素材料、金属材料、金属酸化物、ガラスまたは高分子材料（樹脂）等の粒子（粉末）により構成されている。泳動粒子３２は、これらのうちの１種類を用いてもよく、または２種類以上を用いてもよい。泳動粒子３２を、上記粒子を含む樹脂固形分の粉砕粒子またはカプセル粒子等でもよい。
【００２４】
多孔質層３３は、図１や図２に示したように、繊維状構造体３３１により形成された３次元立体構造物（不織布のような不規則なネットワーク構造物）であり、１または２以上の隙間（細孔３３３）を有している。細孔３３３には絶縁性液体３１が満たされており、泳動粒子３２はこの細孔３３３を介して下部電極１２と上部電極２２との間を移動する。なお、多孔質層３３は、上部電極２２に隣接していてもよいし、それから離間されていてもよい。また、多孔質層３３は、支持基板１１と対向基板２１との間の空間を支持するスペーサ（図示せず）によって支持されていてもよい。
【００２５】
繊維状構造体３３１には、１または２以上の非泳動粒子３３２が含まれており、その非泳動粒子３３２は、繊維状構造体３３１により保持されている。３次元立体構造物である多孔質層３３では、１本の繊維状構造体３３１がランダムに絡み合っていてもよいし、複数本の繊維状構造体３３１が集合してランダムに重なっていてもよいし、両者が混在していてもよい。なお、図２では、複数本の繊維状構造体３３１により多孔質層３３が形成されている場合を示している。
【００２６】
繊維状構造体３３１は、ナノファイバーであることが好ましい。ここでナノファイバーとは、繊維径が０．００１μｍ〜０．１μｍであり、長さが繊維径の１００倍以上である繊維状物質である。繊維状構造体３３１は、例えば、高分子材料または無機材料等のいずれか１種類または２種類以上によって形成されている。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマー等である。無機材料は、例えば、酸化チタン等である。
【００２７】
非泳動粒子３３２は、泳動粒子３２とは異なる光学的反射特性を有している。非泳動粒子３３２の光反射率は、特に限定されないが、少なくとも多孔質層３３が全体として泳動粒子３２を遮蔽可能となるように設定されることが好ましい。泳動粒子３２の光反射率と多孔質層３３の光反射率との違いを利用してコントラストを生じさせるためである。繊維状構造体３３１に固定されており、電気的に泳動しない１または２以上の粒子である。非泳動粒子３３２は、保持されている繊維状構造体３３１の内部に埋設されていてもよく、あるいは、繊維状構造体３３１から部分的に突出してしてもよい。非泳動粒子３３２は、泳動粒子３２に挙げた材料を用いることができ、コントラストを生じさせるために、泳動粒子３２および非泳動粒子３３２が担う役割に応じて適宜選択される。
【００２８】
電気泳動素子３０の側面は、例えば、封止部２３によって封止されている。封止部２３は、例えば、高分子材料等の絶縁性材料により構成されている。なお、図１では、封止部２３は、支持基板１１上に設けられており、電気泳動素子３０の側面を封止しつつ、対向基板２１の端面を覆うように延在しているが、これに限らず、例えば、図４Ａに示したように、支持基板１１と対向基板２１（具体的には、上部電極２２）との間に設けるようにしてもよい。
【００２９】
配線基板４０は、支持基体４１の一面（表示体デバイス１０との対向面）に、例えば、電気泳動素子３０の駆動を制御する配線４２（配線４２Ａおよび配線４２Ｂ）が設けられている。配線４２上には、表示体デバイス１０を接続するための接続部（接続部４４および接続部４６）が設けられており、接続部４４および接続部４６の周辺には、保護部４５および保護部４７がそれぞれ設けられている。
【００３０】
支持基体４１は、支持基板１１および対向基板２１と同様に、例えば、無機材料、金属材料またはプラスチック材料等により構成されている。無機材料としては、例えば、ケイ素（Ｓｉ）、酸化ケイ素（ＳｉＯX）、窒化ケイ素（ＳｉＮX）または酸化アルミニウム（ＡｌＯX）等が挙げられる。酸化ケイ素には、ガラスまたはスピンオングラス（ＳＯＧ）等が含まれる。金属材料としては、例えば、アルミニウム（Ａｌ）、ニッケル（Ｎｉ）またはステンレス等が挙げられ、プラスチック材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）等が挙げられる。支持基体４１は、光透過性でもよいし、非光透過性でもよい。支持基体４１は、ウェハ等の剛性を有する基板でもよいし、可撓性を有する薄層ガラスまたはフィルム等により構成してもよい。
【００３１】
配線４２は、例えば、下部電極１２および上部電極２２で挙げた材料を用いて形成することができる。配線４２は、光透過性を有していてもよいし、非光透過性であってもよい。配線４２は、例えば、下部電極１２と電気的に接続される配線４２Ａと、上部電極２２と電気的に接続される配線４２Ｂが設けられている。配線４２Ａおよび配線４２Ｂ上の、下部電極１２および上部電極２２に対向する位置には、それぞれ接着層４３を介して接続部４４および接続部４６が、それぞれ設けられている。
【００３２】
接着層４３は、配線４２Ａと接続部４４と、および配線４２Ｂと接続部４６との密着性を向上させるためのものである。接着層４３は、導電性を有する材料によって形成されており、具体的な材料としては、例えば、銀ペーストや、銀粉や銅粉あるいはカーボンファイバー等の導電性のよい材料を混合した接着剤（導電性接着剤）が挙げられる。
【００３３】
接続部４４および接続部４６は、表示体デバイス１０を配線基板４０に電気的且つ機械的に接続するためのものであり、導電性を有する材料によって形成されている。接続部４４および接続部４６を構成する具体的な材料としては、例えば、アルミニウム（Ａｌ）、真鍮、銅（Ｃｕ）等が挙げられる。接続部４４および接続部４６は、表面（表示体デバイス１０との対向面）に表示体デバイス１０側に設けられている接続部１５および接続部２５と互いに嵌合する凹凸構造を有する。本実施の形態では、接続部４４および接続部４６の表面には、凸部４４Ａおよび凸部４６Ａがそれぞれ設けられている。なお、凸部４４Ａおよび凸部４６Ａは、接続部４４および接続部４６に、それぞれ１つずつ設けられていてよいし、複数設けられていてもよい。
【００３４】
保護部４５および保護部４７は、それぞれ接続部４４および接続部４６の周辺に設けられたものであり、例えば、ＳｉＯｘあるいはＡｌＯｘを含有するアクリル系樹脂およびエポキシ系樹脂等によって形成されている。具体的には、保護部４５は、接続部４４の側面を覆うものであり、例えば支持基体４１上あるいは配線４２Ａ上まで連続して設けられていることが好ましい。保護部４７は、接続部４６の側面を覆うものであり、保護部４５と同様に、例えば支持基体４１上あるいは配線４２Ｂ上まで連続して設けられていることが好ましい。支持基体４１が、例えば、可撓性を有する基体であった場合、基板の変形等によって、支持基体４１上の金属膜（例えば、配線４２Ａ）の端部には応力が集中しやすく、膜剥れ等が生じる虞がある。保護部４５および保護部４７を、接続部４４および接続部４６の側面から支持基体４１上あるいは、配線４２Ａおよび配線４２Ｂ上まで連続して設けることにより、接続部４４および接続部４６の端部や、配線４２Ａおよび配線４２Ｂの端部に集中する応力が保護部４５および保護部４７に分散され、耐久性が向上する。
【００３５】
なお、接続部４４および接続部４６の周辺以外の配線４２上には、保護層が形成されていることが好ましい（図示せず）。保護層は、配線４２の腐食や酸化を防ぐためのものである。保護層は、保護部４５および保護部４７を延在させて形成してもよいし、あるいは、別途形成するようにしてもよい。また、保護層は、配線４２の上面だけでなく、側面も覆う方が好ましい。
【００３６】
表示体デバイス１０側の接続部１５および接続部２５は、配線基板４０側の接続部４４および接続部４６と対向する位置にそれぞれ設けられており、例えば、以下のように形成されている。接続部１５は、支持基板１１の一面（配線基板４０との対向面）に設けられており、支持基板１１を貫通する貫通電極１３を介して下部電極１２と電気的に接続されている。貫通電極１３は、例えば銀（Ａｇ）によって形成されており、接着層４３と同様に、下部電極１２と接続部１５との密着性を保持する接着層を兼ねている。貫通電極１３の側壁は、酸化防止膜１４によって覆われていることが好ましい。酸化防止膜１４の材料としては、例えば、ＳｉＯｘあるいはＡｌＯｘを含有するアクリル系樹脂およびエポキシ系樹脂等が挙げられる。接続部１５の周辺には、接続部４４および接続部４６と同様に、接続部１５の側面を覆うと共に、支持基板１１まで延在する保護部１６が設けられている。保護部１６は、支持基板１１に接する接続部１５の端部に集中する応力を分散させるものであり、この保護部１６を設けることによって、接続部１５の破損等の発生が抑制され、耐久性が向上する。
【００３７】
接続部２５は、上部電極２２上に設けられており、接着層２４を介して、上部電極２２と電気的に接続されている。接続部２５は、配線基板４０に向かって延伸しており、例えば、封止部２３のように、電気泳動素子３０の側面の一部を封止するように形成されている。接続部２５の形成位置は、表示体デバイス１０の端部および面内のどこに形成してもよいが、表示の見栄えを考慮すると、端部に形成することが好ましい。接続部２５の周囲には、接続部１５と同様に、保護部２６が設けられている。保護部２６は、接続部１５の周囲に設けられる保護部１６と同じ材料によって形成することができる。保護部２６は、接続部２５の端部に集中する応力を分散するものであり、この保護部２６を設けることによって、耐久性が向上する。また、保護部２６は、接続部２５の腐食や酸化を防ぐと共に、表示体（ここでは、電気泳動素子３０）への水分等の浸入を防ぐためのものである。
【００３８】
接続部１５および接続部２５は、例えば、保護部４５および保護部４７と同じ材料によって形成されている。接続部１５および接続部２５の表面（配線基板４０との対向面）には、配線基板４０側に設けられている接続部４４および接続部４６とそれぞれ嵌合する凹凸構造が設けられており、本実施の形態では凹部１５Ａおよび凹部２５Ａが設けられている。このように、表示体デバイス１０および配線基板４０に、互いに接続される一対の接続部（接続部１５と接続部４４および接続部２５と接続部４６）を設けることにより、配線基板４０に対する表示体デバイス１０の着脱が可能となる。
【００３９】
（１−２．表示装置の動作）
この表示装置１は、例えば、以下のように動作する。図４Ａおよび図４Ｂは、表示装置の動作を説明するためのものであり、図１に対応する断面構成を表している。なお、ここでは、図示内容を簡略化するために多孔質層３３を簡略化して表している。
【００４０】
初期状態の表示装置１では、泳動粒子３２が待避領域Ｒ１に配置されている（図４Ａ）。この場合には、全ての画素で泳動粒子３２が多孔質層３３により遮蔽されているため、対向基板２１側から表示装置１を見ると、多孔質層３３の色（例えば、白色）が表示される。
【００４１】
一方、下部電極１２と上部電極２２との間に電界が印加されると、図４Ｂに示したように、画素毎に泳動粒子３２が待避領域Ｒ１から多孔質層３３（細孔３３３）を経由して表示領域Ｒ２に移動する。これにより、多孔質層３３は泳動粒子３２によって隠蔽され、泳動粒子３２の色（例えば、黒色）が表示される。
【００４２】
なお、図３に示した表示装置２のように、下部電極１２を分割形成（下部電極１２Ａおよび下部電極１２Ｂ）して例えば、２つの画素Ｐ１およびＰ２を設けた場合には、下部電極１２Ａおよび下部電極１２Ｂに印加される電圧を個別に制御することで、下部電極１２Ａおよび下部電極１２Ｂごとに、泳動粒子３２の移動を制御することが可能となる。これにより、表示面内に、泳動粒子３２によって多孔質層３３が隠蔽されている領域（画素）と隠蔽されていない領域（画素）が形成され、表示面側から表示装置２を見ると、コントラストが生じている状態になる。
【００４３】
なお、表示装置２では、下部電極１２Ａおよび下部電極１２Ｂそれぞれに、凹部１５Ａを有する接続部１５ａおよび凹部１５Ｂを有する接続部１５ｂが設けられている。また、配線基板４０側にも、下部電極１２Ａおよび下部電極１２Ｂに対応する配線４２Ａおよび配線４２Ｃが設けられており、各配線４２Ａ，４２Ｃ上に、それぞれ凸部４４Ａを有する接続部４４ａおよび凸部４４Ｂを有する接続部４４ｂが設けられている。
【００４４】
（１−３．作用・効果）
例えば、腕時計の文字盤等に用いられている一般的な表示装置では、下側の基板上にセグメント電極が形成されており、その上部に、例えば粘着層を介して表示体（例えば、マイクロカプセル型の電気泳動表示体）が設置されている。表示体の上には、共通電極および透明プラスチック基板がこの順に積層されている。セグメント電極には、駆動信号が供給され、共通電極には、共通信号が供給される。素子駆動信号を制御することにより、共通電極に対してセグメント電極に電位を与えると、カプセル内の帯電した黒色粒子および白色粒子が、それぞれ上方または下方に移動する。これにより、透明プラスチック基板側から見た場合、各画素が、白色または黒色に視認される。
【００４５】
近年、開発が進められているウェアラブル端末では、表示装置を、文字の表示だけでなく、色や柄を変更する用途として用いることを想定している。また、ウェアラブル端末では、リジッドな基板だけでなく、フレキシブルな基板上に表示装置を設置することも想定されている。フレキシブルな基板は、ガラス基板等のリジッドな基板と比較して、耐久性が低い。フレキシブル性を有するウェアラブル端末では、設置されている表示装置の端部に損傷が発生しやすく、使用中に部分的に表示装置が破壊される場合が考えられる。
【００４６】
しかしながら、上述したような一般的な表示装置では、表示装置を構成する複数の表示体と下基板とが粘着材を介して一体化されているため、安易に剥離することができない。このため、一部分に負荷がかかって表示体が損傷した場合、損傷した表示体のみを取り外して修理するということができなく、ディスプレイ全体を交換する必要があった。
【００４７】
これに対して、本実施の形態の表示装置１は、上記のように、表示体デバイス１０および配線基板４０を分離形成し、それぞれに、互いに接続可能な一対の接続部を設けるようにした。具体的には、表示体デバイス１０側には、下部電極１２と電気的に接続されている接続部１５および上部電極２２と電気的に接続されている接続部２５を設けるようにした。また、配線基板４０には、接続部１５および接続部２５と対向する位置に、接続部４４および接続部４６が設けるようにした。これにより、表示体デバイス１０を、配線基板４０から任意に取り外すことが可能となる。
【００４８】
以上のように、本実施の形態の表示装置１では、表示体デバイス１０と、配線基板４０とを独立して形成し、互いに接続部（接続部１５と接続部４４および接続部２５と接続部４６）を介して一体化されるようにした。よって、表示体デバイス１０と、配線基板４０との着脱が可能となり、メンテナンス性を向上させることが可能となる。
【００４９】
また、上記のように、フレキシブル性を有するウェアラブル端末では、設置されている表示装置の端部に応力が集中しやすく、これによって端部に損傷が発生しやすい。これに対して、本実施の形態では、各接続部１５，２５，４４，４６の周囲に、それぞれ保護部１６，２６，４５，４７を設けるようにした。これにより、接続部１５，２５，４４，４６の端部に集中する応力が分散され、接続部１５，２５，４４，４６を形成する金属膜の破損や膜剥れ等の発生を抑制することが可能となる。よって、接続部１５，２５，４４，４６の耐久性を向上させることが可能となり、信頼性の高い表示装置１（あるいは表示装置２）を提供することが可能となる。
【００５０】
次に、第２，第３の実施の形態および変形例（変形例１，２）について説明する。なお、上記第１の実施の形態の表示装置１に対応する構成要素には同一の符号を付して説明を省略する。
【００５１】
＜２．第２の実施の形態＞
図５は、本開示の第２の実施の形態に係る表示装置（表示装置３）の断面構成を表したものである。表示装置３は、上記第１の実施の形態と同様に、１個または複数個を組み合わせて、例えば、後述する腕時計や鞄等の服飾品や壁面の装飾に用いられるものであり、表示体として、例えば、電気泳動素子３０を用いた電気泳動型ディスプレイである。表示装置３は、上記第１の実施の形態と同様に、表示体デバイス２０および配線基板４０に、互いに嵌合する凹部（例えば、凹部１５Ａ）を有する接続部（例えば、接続部１５）と凸部（例えば、凸部４４Ａ）を有する接続部（例えば、接続部４４）とがそれぞれ設けられたものである。本実施の形態では、この凹部の内部に緩衝部材（例えば、緩衝部材１７）を設けた点が上記第１の実施の形態とは異なる。なお、図５は、表示装置３の構成を模式的に表したものであり、実際の寸法、形状とは異なる場合がある。
【００５２】
上記のように、本実施の形態の表示装置３は、表示体デバイス２０側に設けられた凹部１５Ａおよび凹部２５Ａ内に、緩衝部材１７および緩衝部材２７がそれぞれ設けられた構成を有する。
【００５３】
緩衝部材１７および緩衝部材２７は、配線基板４０に表示体デバイス２０を接続した際に、接続部１５，２５，４４，４６、特に、凹部１５Ａおよび凹部２５Ａならびに凸部４４Ａおよび凸部４６Ａに集中する応力を低減するためのものである。緩衝部材１７および緩衝部材２７は、接続部１５および接続部２５とは異なる材料を用いて形成されている。緩衝部材１７および緩衝部材２７は、例えば、クッション性を有する樹脂材料を用いて形成することが好ましく、具体的な材料としては、例えば、スチレン系、オレフィン系、塩ビ系、ウレタン系、アミド系等のエラストマーが挙げられる。緩衝部材１７および緩衝部材２７は、具体的には、それぞれ、凹部１５Ａおよび凹部２５Ａの側面全体に設けられていることが好ましい。これにより、配線基板４０の変形等によって凹部１５Ａおよび凹部２５Ａならびに凸部４４Ａおよび凸部４６Ａに集中する応力負荷が低減される。
【００５４】
以上のように、本実施の形態では、接続部１５および接続部２５の表面（配線基板４０との対向面）に設けられている凹部１５Ａおよび凹部２５Ａ内に、緩衝部材１７および緩衝部材２７を設けるようにした。これにより、特にフレキシブルな基板を用いて配線基板４０が構成されている表示装置３において、接続部１５，２５，４４，４６の耐久性をさらに向上させることが可能となる。よって、上記第１の実施の形態の効果に加えて、さらに信頼性を向上させることが可能となるという効果を奏する。
【００５５】
＜３．変形例＞
（３−１．変形例１）
図６は、本開示の変形例１に係る表示装置（表示装置４）の断面構成を表したものである。表示装置４は、上記第１，第２の実施の形態と同様に、１個または複数個を組み合わせて、例えば、後述する腕時計や鞄等の服飾品や壁面の装飾に用いられるものであり、表示体として、例えば、電気泳動素子３０を用いた電気泳動型ディスプレイである。表示装置４は、上記第１の実施の形態と同様に、表示体デバイス５０および配線基板６０に、互いに嵌合する凹部（凹部５１Ａおよび凹部５２Ａ）を有する接続部（例えば、接続部５１および接続部５２）と、凸部（凸部６１Ａおよび凸部６２Ａ）を有する接続部（例えば、接続部６１および接続部６２）とがそれぞれ設けられたものである。本変形例では、各接続部５１，５２，６１，６２がそれぞれ、導電性を有するゴム（導電性ゴム）によって形成されている点が、上記第１の実施の形態とは異なる。なお、図６は、表示装置４の構成を模式的に表したものであり、実際の寸法、形状とは異なる場合がある。
【００５６】
本変形例のように、接続部５１，５２，６１，６２を、導電性ゴムを用いて形成することにより、上記第２の実施の形態における表示装置３のように、凹部５１Ａおよび凹部５２Ａ内に緩衝部材を設けることなく、接続部５１，５２，６１，６２の耐久性を向上させることが可能となる。
【００５７】
（３−２．変形例２）
図７は、本開示の変形例２に係る表示装置（表示装置５）の断面構成を表したものである。表示装置５は、上記第１，第２の実施の形態等と同様に、１個または複数個を組み合わせて、例えば、後述する腕時計や鞄等の服飾品や壁面の装飾に用いられるものであり、表示体として、例えば、電気泳動素子３０を用いた電気泳動型ディスプレイである。本変形性の表示装置５は、表示体デバイス７０および配線基板８０に、それぞれ設けられている接続部７１，７２，８１，８２がそれぞれ磁力を有する材料によって形成されている点が上記第１，第２の実施の形態および変形例１とは異なる。なお、図７は、表示装置５の構成を模式的に表したものであり、実際の寸法、形状とは異なる場合がある。
【００５８】
接続部７１，７２，８１，８２は、上記のように磁力を有する材料、例えば磁石によって形成されたものである。磁力を有する材料を用いて接続部７１，７２，８１，８２を形成する場合には、互いに対向する接続部７１，７２，８１，８２の表面に必ずしも凹凸構造を設ける必要はない。また、各接続部７１，７２，８１，８２は、互いに対向する面以外の面（側面および基板（または基体）と対向する面）に磁石から発生する磁力を遮蔽する金属膜を形成することが好ましい。特に、磁石面以外が鉄材（ヨーク）によって覆われた、いわゆるキャップ磁石を用いることによって、磁石面の吸着力が強化され、配線基板８０に対する表示体デバイス７０の取り付け強度が向上する。
【００５９】
以上のように、接続部７１，７２，８１，８２を、磁力を有する材料を用いて形成することにより、上記第１の実施の形態における表示装置１と同様の効果が得られる。また、磁石を用いて接続部７１，７２，８１，８２を形成することによって、平面方向（ＸＺ平面方向）の動きに追従することが可能となる。
【００６０】
＜４．第３の実施の形態＞
図８は、本開示の第３の実施の形態に係る表示装置（表示装置６）の断面構成を表したものである。表示装置６は、上記第１の実施の形態と同様に、１個または複数個を組み合わせて、例えば、後述する腕時計や鞄等の服飾品や壁面の装飾に用いられるものであり、表示体として、例えば、電気泳動素子３０を用いた電気泳動型ディスプレイである。表示装置６は、上記第１の実施の形態と同様に、表示体デバイス１０および配線基板９０に、互いに嵌合する凹部（例えば、凹部１５Ａ）を有する接続部（例えば、接続部１５）と凸部（例えば、凸部４４Ａ）を有する接続部（例えば、接続部４４）とがそれぞれ設けられたものである。本実施の形態では、配線基板９０を構成する支持基体９１に伸縮性を有する基体が用いられている点と、接続部４４および接続部４６を保護する保護部９５および保護部９７が、それぞれ、配線４２Ａおよび配線４２Ｂの裏面まで延在形成されている点が上記第１，第２の実施の形態および変形例１，２とは異なる。なお、図８は、表示装置６の構成を模式的に表したものであり、実際の寸法、形状とは異なる場合がある。
【００６１】
支持基体９１は、上記のように伸縮性を有する材料、例えば布等の繊維集合体によって構成されたものである。繊維集合体によって形成されている支持基体９１は、繊維間に空隙を有するため水分等を通しやすく、例えば、配線４２Ａと配線４２Ｂとの間で短絡が発生する虞がある。このため、本実施の形態では、保護部９５および保護部９７によって、配線４２Ａおよび配線４２Ｂの表面および側面だけでなく、裏面まで連続して覆うようにすることが好ましい。これにより、配線４２Ａと配線４２Ｂとの間の短絡の発生を抑制することが可能となる。配線４２Ａおよび配線４２Ｂの裏面まで覆う保護部９５および保護部９７は、例えば、支持基体９１を構成する繊維集合体の空隙を利用して、保護部９５および保護部９７を構成する樹脂材料を支持基体９１に染み込ませることによって形成することができる。
【００６２】
以上のように、本実施の形態では、保護部９５および保護部９７を、それぞれ、配線４２Ａおよび配線４２Ｂの裏面まで延在形成することにより、配線基板９０を構成する支持基体９１に、伸縮性を有する材料を用いることが可能となる。即ち、上記第１の実施の形態の効果に加えて、表示体デバイス１０を取り付ける基板（具体的には、支持基体）の材料選択性が向上するという効果を奏する。
【００６３】
また、配線４２Ａおよび配線４２Ｂの裏面まで保護部９５および保護部９７でそれぞれ覆うことによって、配線基板９０側の接続部４４および接続部４６の耐久性を向上させることが可能となる。
【００６４】
＜５．適用例＞
次に、上述の第１〜第３の実施の形態および変形例１，２において説明した表示装置（表示装置１〜６）の適用例について説明する。ただし、以下で説明する電子機器の構成はあくまで一例であり、その構成は適宜変更可能である。上記表示装置１（および表示装置２〜６）は、各種の電子機器あるいは各種の電子機器あるいはインテリアまたは服飾品の一部、例えば、いわゆるウェアラブル端末として、例えば時計（腕時計）、鞄、衣服、帽子、眼鏡および靴等の服飾品の一部に適用可能であり、その電子機器等の種類は特に限定されない。図９は、下記にあげる具体的な電子機器の概略構成を示したものである。この電子機器１００は、表示装置１（または表示装置２〜６）と、表示装置１（または表示装置２〜６）の駆動を制御する回路や、電源等が設けられた機能部１１０とを有する。
【００６５】
（適用例１）
図１０Ａおよび図１０Ｂは、電子時計（腕時計一体型電子機器）の外観を表したものである。この電子時計は、例えば文字盤（文字情報表示部分）２１０とバンド部（色柄表示部分）２２０とを有しており、これらの文字盤２１０とバンド部２２０とが表示装置１（または表示装置２〜６）を含んで構成されている。文字盤２１０には、上述の電気泳動素子を用いた表示駆動により、図１０Ａおよび図１０Ｂのように、例えば様々な文字や図柄が表示される。バンド部２２０は、例えば腕等に装着可能な部位である。このバンド部２２０において、表示装置２が用いられることで、様々な色柄を表示することができ、図１０Ａの例から図１０Ｂの例のように、バンド部２２０の意匠を変更することができる。ファッション用途においても有用な電子デバイスを実現可能となる。
【００６６】
（適用例２）
図１１Ａおよび図１１Ｂは、鞄の外観を表したものである。この鞄は、例えば収納部３１０と持ち手３２０とを有しており、例えば、収納部３１０に表示装置１（または表示装置２〜６）が取り付けられている。収納部３１０には、表示装置１（または表示装置２〜６）により、様々な文字や図柄が表示される。また、持ち手３２０部分に表示装置１（または表示装置２〜６）が取り付けることで、様々な色柄を表示することができ、図１１Ａの例から図１１Ｂの例のように、収納部３１０の意匠を変更することができる。ファッション用途においても有用な電子デバイスを実現可能となる。
【００６７】
（適用例３）
図１２は、上記表示装置１（または表示装置２〜６）を壁面４００に取り付けた例を表したものである。図１２に示したように、壁面４００に複数の表示装置１（または表示装置２〜６）を取り付け、その駆動を制御することにより、壁面４００に様々なパターンを形成することが可能となる。
【００６８】
以上、第１〜第３の実施の形態および変形例１，２を挙げて本開示を説明したが、本開示は実施形態で説明した態様に限定されず、種々の変形が可能である。例えば、上記実施の形態等では、互いに嵌合する凹凸構造の凹部（例えば、凹部１５Ａ）を表示体デバイス（例えば表示体デバイス１０）側に、凸部（例えば、凸部４４Ａ）を配線基板（例えば、配線基板４０）側に設けた例を示したが、これに限らず、凹部を配線基板側に、凸部を表示体デバイス側に設けるようにしてもよい。
【００６９】
また、例えば、上記実施の形態等では、表示体として、マイクロカップ方式の電気泳動素子を用いて説明したが、これに限らず、マイクロカプセル方式の電気泳動素子、ツイストボール型の電気泳動素子を用いてもよい。更に、電気泳動素子以外の表示体、例えば、エレクトロクロミック（ＥＣ）素子や、トナー型の表示体あるいは粉粒移動方式の表示体を用いて構成してもよい。
【００７０】
更にまた、上記実施の形態等において説明した構成要素を全て備える必要はなく、更に他の構成要素を含んでいてもよい。また、上記第１の実施の形態では、表示装置１を例えば、例えば、１ｃｍ〜数ｃｍ四方の表示デバイスとしたが、他の形状でも構わなく、特に限定されない。
【００７１】
なお、本明細書中に記載された効果はあくまで例示であって限定されるものではなく、また、他の効果があってもよい。
【００７２】
なお、本開示は以下のような構成も取ることができる。
（１）
表示体および第１の接続部を有する第１基板と、
前記表示体の駆動を制御する配線と共に、前記第１の接続部と接続される第２の接続部を有する第２基板と
を備えた表示装置。
（２）
前記第１基板と前記第２基板とは、前記第１の接続部および前記第２の接続部を介して電気的且つ機械的に接続されている、前記（１）に記載の表示装置。
（３）
前記第１の接続部および前記第２の接続部の少なくとも一方は周辺に保護部を有する、前記（１）または（２）に記載の表示装置。
（４）
前記第１の接続部および前記第２の接続部は、一方に凹部を有し、他方に凸部を有する、前記（１）乃至（３）のうちのいずれかに記載の表示装置。
（５）
前記凹部は、内部に緩衝部材を有する、前記（４）に記載の表示装置。
（６）
前記緩衝部材は、前記凹部が設けられている前記第１の接続部または前記第２の接続部とは異なる材料により形成されている、前記（５）に記載の表示装置。
（７）
前記第１の接続部および前記第２の接続部の少なくとも一方は、導電性を有するゴムにより形成されている、前記（１）乃至（６）のうちのいずれかに記載の表示装置。
（８）
前記第１の接続部および前記第２の接続部は、互いに磁力を有する材料により形成されている、前記（１）乃至（７）のうちのいずれかに記載の表示装置。
（９）
前記保護部は、樹脂材料により形成されている、前記（３）乃至（８）のうちのいずれかに記載の表示装置。
（１０）
前記表示体は、表示層を間に対向配置された第１電極および第２電極を有し、
前記第１基板には、前記第１電極および前記第２電極とそれぞれ電気的に接続されている２つの第１の接続部が設けられ、
前記第２基板には、前記２つの第１の接続部に対応する２つの第２の接続部が設けられている、前記（１）乃至（９）のうちのいずれかに記載の表示装置。
（１１）
表示装置を備え、
前記表示装置は、
表示体および第１の接続部を有する第１基板と、
前記表示体の駆動を制御する配線と共に、前記第１の接続部と接続される第２の接続部を有する第２基板と
を備えた電子機器。
【符号の説明】
【００７３】
１〜６…表示装置、１０，２０，５０，７０…表示体デバイス、１１…支持基板、１２…下部電極、１３…貫通電極、１４…酸化防止膜、１５，２５，４４，４６，５１，５２，６１，６２，７１，７２，８１，８２…接続部、１５Ａ，２５Ａ，５１Ａ，５２Ｂ…凹部、１６，２６，４５，４７，９５，９７…保護部、１７，２７…緩衝部材、２１…対向基板、２２…上部電極、２３…封止部、２４…接着層、３０…電気泳動素子、３１…絶縁性液体、３２…泳動粒子、３３…多孔質層、４０，８０，９０…配線基板、４１，９１…支持基体、４２，４２Ａ，４２Ｂ，４２Ｃ…配線、４３…接着層、４４Ａ，４６Ａ，６１Ａ，６２Ａ…凸部、３３１…繊維状構造体、３３２…非泳動粒子、３３３…細孔。
【図１】
2017203803.tif 000003
【図２】
2017203803.tif 000004
【図３】
2017203803.tif 000005
【図４Ａ】
2017203803.tif 000006
【図４Ｂ】
2017203803.tif 000007
【図５】
2017203803.tif 000008
【図６】
2017203803.tif 000009
【図７】
2017203803.tif 000010
【図８】
2017203803.tif 000011
【図９】
2017203803.tif 000012
【図１０Ａ】
2017203803.tif 000013
【図１０Ｂ】
2017203803.tif 000014
【図１１Ａ】
2017203803.tif 000015
【図１１Ｂ】
2017203803.tif 000016
【図１２】
2017203803.tif 000017